(57)【要約】      （修正有）【課題】携帯ゲーム機や付属品をコンパクトに収納でき、収納バッグを開けた際に携帯ゲーム機や付属品が飛び出すことを防止でき、携帯時に携帯ゲーム機や付属品を収納した収納バッグを安定して保持すること。【解決手段】、一側本体部１２及び他側本体部１４を撓曲可能な接続体１６により接続し、ファスナ１８により一側・他側本体部を開閉可能とした携帯ゲーム機用収納バッグ１０において、一側本体部の一側平面部内側には一側周面部内側に向かい開口する一側第１収納口４０を有する一側第１収納部３６を形成し、一側第１収納部内側の一側平面部及び可撓性部材に軟質材を被着し、一側第１収納部外側に一側周面部内側に向かい開口する一側第２収納口４８を有する一側第２収納部４４を形成し、他側本体部１４の他側平面部内側には他側周面部内側に向かい夫々開口する他側第１・第２収納口５８，６０を有する他側第１・第２収納部５０，５２を形成する。【選択図】図１
0003113054.tif 000002
【実用新案登録請求の範囲】
【請求項１】
一側平面部とこの一側平面部を囲んで立設される一側周面部とにより有底箱形状に形成される一側本体部を設け、前記一側平面部と同形の他側平面部とこの他側平面部を囲んで前記一側周面部よりも低く立設される他側周面部とにより有底箱形状に形成される他側本体部を設け、前記一側・他側周面部の開口側の各一部を撓曲可能な接続体により接続して前記一側・他側本体部を一体化し、前記一側・他側周面部の各残部をファスナにより接合・離脱可能として前記一側・他側本体部を開閉可能とし、内部に携帯ゲーム機を収納する収納空間を有する携帯ゲーム機用収納バッグにおいて、前記一側本体部の一側平面部内側には一側周面部内側に向かい開口する一側第１収納口を有する一側第１収納部を可撓性部材により形成して設けるとともに、この一側第１収納部内側の前記一側平面部及び可撓性部材に軟質材を被着して設け、前記一側第１収納部外側に前記一側周面部内側に向かい開口する一側第２収納口を有する一側第２収納部を柔軟性部材により形成して設け、前記他側本体部の他側平面部内側には他側周面部内側に向かい夫々開口する他側第１・第２収納口を有する他側第１・第２収納部を可視性部材により形成して設けたことを特徴とする携帯ゲーム機用収納バッグ。
【請求項２】
前記一側本体部の一側平面部外側には身体装着用の長尺な装着具を支持する支持体を設けたことを特徴とする請求項１に記載の携帯ゲーム機用収納バッグ。
【考案の詳細な説明】
【技術分野】
【０００１】
この考案は携帯ゲーム機用収納バッグに係り、特に、携帯ゲーム機や付属品をコンパクトに収納することができ、収納バッグを開けた際に携帯ゲーム機や付属品が飛び出すことを防止でき、携帯時に携帯ゲーム機や付属品を収納した収納バッグを安定して保持することができる携帯ゲーム機用収納バッグに関するものである。
【背景技術】
【０００２】
アーケード用ゲーム機や家庭用ゲーム機等からなるゲーム機においては、特に家庭用ゲーム機が飛躍的に普及し、主なるゲーム実施機能のみでなく、ＤＶＤ再生機能や音楽ＣＤ再生機能、画像録画機能等の種々の機能を有する家庭用ゲーム機が各社から発売されている状況にある。
【０００３】
前記家庭用ゲーム機の主流をなすものとしては、ゲーム機の本体のみからなるものであり、このゲーム機の本体をテレビ受信機に接続し、テレビ受信機にゲーム内容を表示させ、ゲーム機の本体に接続されるコントローラから操作してゲームを行う形式となっている。
【０００４】
近時は、ゲーム機の操作性や処理速度等の性能向上によって、携帯可能な携帯ゲーム機が提案され、このような携帯ゲーム機においても、高画質・高性能を実現させることができる状況となってきた。
【０００５】
このような携帯ゲーム機用収納バッグとしては、携帯ゲーム機を収容する合成樹脂製の本体と蓋体とからなり、本体に対して蓋体は開閉自在であるとともに閉じた状態においては密閉状態を保持するように構成され、蓋体の開口部には本体の凹部に収納した携帯ゲーム機を視認しながら操作可能なように透明若しくは半透明で弾性並びに伸長性を備えたウレタン膜を密封状態に設けたものがある。
【特許文献１】特開２０００−１２５９１６号公報
【考案の開示】
【考案が解決しようとする課題】
【０００６】
ところで、従来の携帯ゲーム機を携帯する際には、携帯用ゲーム機に付属する専用の携帯用袋や容器を使用したり、ショルダーバッグやサイドバッグ、手提げバッグ等の通常のバッグ内に収納する方策がとられていた。
【０００７】
しかし、高画質・高性能を実現させる携帯ゲーム機においては、表示部分に液晶モニタを使用するものもあり、例えば、液晶モニタを有する携帯ゲーム機の場合には、専用の携帯用袋や容器、通常のバッグに収納している際に、衝撃や接触等によって、携帯ゲーム機の液晶モニタ部分が損傷され、液晶モニタの表示機能が悪化し、終には携帯ゲーム機が使用不可能となってしまうという不都合がある。
【０００８】
特に、今日では、携帯ゲーム機といえども画質が向上し表示部である液晶モニタが大きくなってきている傾向のため、益々この部分が重視されてきているのが実状である。また、ゲーム機全般においては、ゲーム機の本体のみでなく、ゲームの進行状況を記憶させるメモリカードやゲームソフト、音楽等を記憶させたディスク、そしてヘッドフォン等の付属品も必要である。
【０００９】
しかし、従来の携帯ゲーム機の場合には、上述した付属品をもいっしょに携帯できるものがなく、最小限のスペースで効率良く収納して携帯可能であり、さらに、収納バッグを開けた際に携帯ゲーム機や付属品が飛び出すことを防止でき、携帯時に携帯ゲーム機や付属品を収納した収納バッグを安定して保持することができる携帯ゲーム機用収納バッグの実現が切望されていた。
【課題を解決するための手段】
【００１０】
この考案は、一側平面部とこの一側平面部を囲んで立設される一側周面部とにより有底箱形状に形成される一側本体部を設け、前記一側平面部と同形の他側平面部とこの他側平面部を囲んで前記一側周面部よりも低く立設される他側周面部とにより有底箱形状に形成される他側本体部を設け、前記一側・他側周面部の開口側の各一部を撓曲可能な接続体により接続して前記一側・他側本体部を一体化し、前記一側・他側周面部の各残部をファスナにより接合・離脱可能として前記一側・他側本体部を開閉可能とし、内部に携帯ゲーム機を収納する収納空間を有する携帯ゲーム機用収納バッグにおいて、前記一側本体部の一側平面部内側には一側周面部内側に向かい開口する一側第１収納口を有する一側第１収納部を可撓性部材により形成して設けるとともに、この一側第１収納部内側の前記一側平面部及び可撓性部材に軟質材を被着して設け、前記一側第１収納部外側に前記一側周面部内側に向かい開口する一側第２収納口を有する一側第２収納部を柔軟性部材により形成して設け、前記他側本体部の他側平面部内側には他側周面部内側に向かい夫々開口する他側第１・第２収納口を有する他側第１・第２収納部を可視性部材により形成して設けたことを特徴とする。
また、この考案は、前記一側本体部の一側平面部外側には身体装着用の長尺な装着具を支持する支持体を設けたことを特徴とする。
【考案の効果】
【００１１】
この考案の携帯ゲーム機用収納バッグは、一側平面部及び可撓性部材間に形成される一側第１収納部により携帯ゲーム機を安定して収納することができるとともに、一側本体部の可撓性部材及び柔軟性部材間に形成される一側第１収納部や他側本体部の他側平面部及び柔軟性部材間に形成される他側第１・第２収納部により携帯ゲーム機の付属品を適切に収納することができ、一側第１収納部の内側に被着した軟質材により携帯ゲーム機の液晶モニタを保護することができ、各収納部の収納口が夫々各周面部内側に向かい開口することにより収納部からの携帯ゲーム機や付属品の飛び出しを各側内周部により止めることができ、また、一側本体部の一側平面部外側に設けた支持体に長尺な装着具を支持させることにより、この装着具を利用して収納バッグを身体に密着するように装着することができる。
これにより、この考案の携帯ゲーム機用収納バッグは、携帯ゲーム機や付属品を最小限のスペースで効率良く収納することができ、携帯ゲーム機の携帯性を向上することができるとともに、携帯ゲーム機の液晶モニタ部分の損傷を確実に防止することができ、収納バッグを開けた際に携帯ゲーム機や付属品が飛び出すことを防止でき、また、携帯時に携帯ゲーム機や付属品を収納した収納バッグを安定して身体に装着することができる。
【考案を実施するための最良の形態】
【００１２】
この考案の携帯ゲーム機用収納バッグは、内部に携帯ゲーム機や付属品を夫々収納する収納部を設けて携帯ゲーム機の液晶モニタ部分の損傷を確実に防止しながら、携帯ゲーム機や付属品を最小限のスペースで効率良く収納して携帯性を向上し、周面部を利用して携帯ゲーム機や付属品の飛び出しを防止し、また、装着具を利用して携帯時に携帯ゲーム機や付属品を収納した収納バッグを安定して装着させるものである。
以下図面に基づいてこの考案の実施例を詳細に説明する。
【実施例】
【００１３】
図１〜図３は、この考案の実施例を示すものである。図１〜図３において、２は携帯ゲーム機、４は付属品であるヘッドフォン、６はメモリカード、８はディスク、１０は携帯ゲーム機用収納バッグ（以下、「収納バッグ」と記す。）である。収納バッグ１０は、皮革や合成皮革、あるいは合成樹脂等により略同一な有底箱形状に形成される一側本体部１２及び他側本体部１４を設け、これら一側本体部１２及び他側本体部１４を撓曲可能な接続体１６により一体化して、ファスナ１８により開閉可能に設けている。
【００１４】
前記一側本体部１２は、略長四角形状の一側平面部２０と、この一側平面部２０の周縁を囲んで立設される略短四角筒形状の一側周面部２２とにより、略長四角な有底箱形状に形成される。前記他側本体部１４は、一側平面部２０と同形の他側平面部２４と、この他側平面部２４の周縁を囲んで前記一側周面部２２よりも低く立設される略短四角筒形状の他側周面部２６とにより、前記一側本体部１２よりも浅い略長四角な有底箱形状に形成される。
【００１５】
前記一側・他側本体部１２・１４は、一側・他側周面部２２・２６の略長四角形状に形成された開口側の各一部である一つの長辺部分を、撓曲可能な前記接続体１６により接続して開閉可能に一体化している。また、一側・他側本体部１２・１４は、一側・他側周面部２２・２６の略長四角形状に形成された開口側の各残部である他の長辺部分と一対の短辺部分とを、前記ファスナ１８により接合・離脱可能としている。
【００１６】
前記ファスナ１８は、例えば、一側・他側周面部２２・２６の各周縁に夫々固設された一側・他側エレメント２８・３０と、これら一側・他側エレメント２８・３０を噛合・開離させるスライダ３２とで構成される、スライドファスナからなる。
【００１７】
前記収納バッグ１０は、ファスナ１８のスライダ３２によって一側・他側エレメント２８・３０を噛合・開離させることにより一側・他側周面部２２・２６を接合・離脱させ、離脱させた状態においては接続体１６により一側・他側本体部１２・１４を開閉可能とし、内部に携帯ゲーム機２を収納する収納空間３４を有している。
【００１８】
前記一側本体部１２の一側平面部２０内側には、一側第１収納部３６を設けている。一側第１収納部３６は、一側平面部２０内側に略長四角形状の可撓性部材３８の両側部と底部とを固着することにより箱形状に形成され、一側周面部２２内側に向かい開口する一側第１収納口４０を有する前記収納空間３４を形成している。一側第１収納部３６は、内側の一側平面部２０及び可撓性部材３８に軟質材４２を被着して設けている。なお、ここでいう軟質材４２は、例えば、メガネやカメラのレンズ部を拭くときに使用するようなビロードや不織布、その他の軟質布材をいう。
【００１９】
前記一側第１収納部３６外側には、一側第２収納部４４を設けている。一側第２収納部４４は、可撓性部材３８外側に略長四角形状の柔軟性部材４６の両側部と底部とを固着することにより袋形状に形成され、一側周面部２２内側に向かい開口する一側第２収納口４８を有している。
【００２０】
前記他側本体部１４の他側平面部２４内側には、他側第１・第２収納部５０・５２を設けている。他側第１・第２収納部５０・５２は、他側平面部２４内側の上部に略長四角形状の柔軟性部材５４の上部を固着し、この柔軟性部材５４外側に長四角形状の可視性部材５６の両側部と中間部と底部とを固着することにより夫々容積の異なる袋形状に形成され、他側周面部２６内側に向かい夫々開口する他側第１・第２収納口５８・６０を有している。
【００２１】
また、前記一側本体部１２の一側平面部２０外側には、支持体６２を設けている。支持体６２は、一側平面部２０外側に四角形状の柔軟性部材６４の上部と中間部と下部とを固着し、上側に幅狭支持孔６６を形成し、下側に幅広支持孔６８を形成している。支持体６２の幅狭支持孔６６及び幅広支持孔６８には、夫々身体装着用の長尺な装着具７０である、例えば、紐７０−１やベルト７０−２等を挿通して支持することができる。収納バッグ１０は、支持体６２に支持させた装着具７０により、図示しない身体に装着することができる。
【００２２】
次に作用を説明する。
【００２３】
前記収納バッグ１０に携帯ゲーム機２を収納する場合には、図１に示す如く、ファスナ１８のスライダ３２によって一側・他側エレメント２８・３０を開離させることにより一側・他側周面部２２・２６を離脱させ、接続体１６により一側・他側本体部１２・１４を開放状態とする。
【００２４】
携帯ゲーム機２は、一側本体部１２の一側第１収納部３６の一側第１収納口４０から、裏面部位を一側平面部２０側に向けるとともに表面部位に設けられる液晶モニタ２Ｌを可撓性部材３８側に向けた姿勢で挿入し、収納空間３４に収納する。
【００２５】
あるいは、携帯ゲーム機２は、一側本体部１２の一側第１収納部３６の一側第１収納口４０から、携帯ゲーム機２の表面部位に設けられる液晶モニタ２Ｌを一側平面部２０側に向けるとともに裏面部位を可撓性部材３８側に向けた姿勢で挿入し、収納することもできる。
【００２６】
これにより、携帯ゲーム機２は、表面部位の液晶モニタ２Ｌや裏面部位が一側平面部２０及び可撓性部材３８の内側に被着された軟質材４２に接触され、上面部位が一側周面部２２内側に対峙された状態で、一側第１収納部３６に収納される。
【００２７】
また、収納バッグ１０には、付属品であるヘッドフォン４、メモリカード６、ディスク８を収納することができる。
【００２８】
ゲーム音を視聴する前記ヘッドフォン４は、一側第２収納部４４の一側第２収納口４８から挿入し、一側周面部２２内側に対峙された状態で一側第２収納部４４に収納する。これにより、一側第２収納部４４は、ヘッドフォンホルダーとして機能する。
【００２９】
ゲームの進行状況を記憶させる板状の前記メモリカード６は、他側第１収納部５０の他側第１収納口５８から挿入し、他側周面部２６内側に対峙された状態で他側第１収納部５０に収納する。これにより、他側第１収納部５０は、メモリカードホルダーとして機能する。
【００３０】
ゲームソフトや音楽等を記憶させた円板状のディスク８は、他側第２収納部５２の他側第２収納口６０から挿入し、他側周面部２６内側に対峙された状態で他側第２収納部５２に収納する。これにより、他側第２収納部５２は、ディスクホルダーとして機能する。
【００３１】
携帯ゲーム機２やその付属品を収納した収納バッグ１０は、ファスナ１８のスライダ３２によって一側・他側エレメント２８・３０を噛合させることにより一側・他側周面部２２・２６を接合させ、一側・他側本体部１２・１４を閉鎖状態とすることができる。
【００３２】
このように、この携帯ゲーム機２の収納バッグ１０は、一側本体部１２の一側平面部２０及び可撓性部材４０間に形成される一側第１収納部３６により携帯ゲーム機２を安定して収納することができるとともに、一側本体部１２の可撓性部材４０及び柔軟性部材４６間に形成される一側第２収納部４４や他側本体部１４の他側平面部２４に固着した柔軟性部材５４及び可視性部材５６間に形成される他側第１・第２収納部５０・５２により携帯ゲーム機２の付属品であるヘッドフォン４、メモリカード６、ディスク８を適切に収納することができる。
【００３３】
また、この携帯ゲーム機２の収納バッグ１０は、一側第１収納部３６の内側に被着した軟質材４２により、携帯ゲーム機２の液晶モニタ２Ｌを保護することができ、さらに、一側第１・第２収納部３６・４４の一側第１・第２収納口４０・４８が一側周面部２２内側に向かい開口するとともに、他側第１・第２収納部５０・５２の他側第１・第２収納口５８・６０が他側周面部２６内側に向かい開口することにより、収納バッグ１０を開けた際に各側第１・第２収納部３６・４４・５０・５２からの携帯ゲーム機２や付属品４〜８の飛び出しを各側内周部２２・２６により止めることができる。
【００３４】
これにより、この携帯ゲーム機２の収納バッグ１０は、携帯ゲーム機２や付属品４〜８を最小限のスペースで効率良く収納することができ、携帯ゲーム機２の携帯性を向上することができるとともに、携帯ゲーム機２の液晶モニタ２Ｌの損傷を確実に防止することができ、また、収納バッグ１０を開けた際に携帯ゲーム機２や付属品４〜８が飛び出すことを防止できる。
【００３５】
さらに、この携帯ゲーム機２の収納バッグ１０は、携帯ゲーム機２を収納する一側第１収納部３６を設けた一側平面部２０外側に支持体６２を設け、この支持体６２に支持させた長尺な装着具７０を利用して、収納バッグ１０を身体に密着するように装着することができる。
【００３６】
これにより、この携帯ゲーム機２の収納バッグ１０は、携帯ゲーム機２や付属品４〜８の携帯時に、重量物である携帯ゲーム機２が身体側に密着するように装着されるので、携帯ゲーム機２や付属品４〜８を収納した収納バッグ１０を安定して身体に装着することができる。
【００３７】
なお、この考案は上述実施例に限定されるものではなく、種々の応用改変が可能である。例えば、図４は、変形例を示すものである。この収納バッグ１０は、柔軟性部材５４と可視性部材５６との間に複数の着脱可能な着脱具７２を可視性部材５６の長手方向に適宜の間隔を開けて配設したものである。着脱具７２は、例えば、鉤状の掛止体７４と逆Ｕ字状の被掛止体７６とからなり、掛止体７４を被掛止体７６に係着させることにより柔軟性部材５４に可視性部材５６を接合させることができ、掛止体７４を被掛止体７６から離脱させることにより柔軟性部材５４から可視性部材５６を引き離すことができる。
【００３８】
この収納バッグ１０は、柔軟性部材５４と可視性部材５６との間に配設した複数の着脱具７２の任意の１つを選択して係着させることにより、この係着した着脱具７２を挟んだ両側の他側第１・第２収納口５８・６０の開口長さを変更することができ、収納する物品の大きさに応じて他側第１・第２収納部５０・５２の容積を容易に増減することができ、使い勝手を向上することができる。
【産業上の利用可能性】
【００３９】
この考案の携帯ゲーム機用収納バッグは、携帯ゲーム機の液晶モニタ部分の損傷を確実に防止しながら、携帯ゲーム機や付属品を最小限のスペースで効率良く収納して携帯性を向上し、周面部を利用して携帯ゲーム機や付属品の飛び出しを防止し、また、装着具を利用して携帯時に携帯ゲーム機や付属品を収納した収納バッグを安定して装着させるものであり、携帯ゲーム機だけでなく、その他の物品の収納にも応用することができる。
【図面の簡単な説明】
【００４０】
【図１】この考案の実施例を示す携帯ゲーム機用収納バッグの開放状態の斜視図である。
【図２】携帯ゲーム機用収納バッグの背面側の斜視図である。
【図３】図２に示す携帯ゲーム機用収納バッグの中央部位の縦断面図である。
【図４】変形例を示す携帯ゲーム機用収納バッグの他側本体部の斜視図である。
【符号の説明】
【００４１】
２  携帯ゲーム機
４  ヘッドフォン
６  メモリカード
８  ディスク
１０  収納バッグ（携帯ゲーム機用収納バッグ）
１２  一側本体部
１４  他側本体部
１６  接続体
１８  ファスナ
３６  一側第１収納部
４０  一側第１収納口
４２  軟質材
４４  一側第２収納部
４８  一側第２収納口
５０  他側第１収納部
５２  他側第２収納部
５８  他側第１収納口
６０  他側第２収納口
６２  支持体
７０  装着具
【図１】
0003113054.tif 000003
【図２】
0003113054.tif 000004
【図３】
0003113054.tif 000005
【図４】
0003113054.tif 000006